(57)【要約】【課題】  【解決手段】  ユニバーサルで、軽量の、持ち運びが容易な識別カードに情報を記録し、この情報へのアクセスを制限する。このメモリカードは、カード上の電子ファイルのファイルシステムを具え、このシステムは、選択された識別リーダで自動的に検出され認識される。このファイルシステムは、保存されている電子ファイルがカードの別々の区別される暗号化されたコンパートメントに現れるように組織化されており、許可を受けたあらかじめ選択されたリーダのみが特定のコンパートメントにアクセスする。生物測定認証情報が、カードに印刷されており、リーダとそのカードが付与され、そのカードを所有する人物間に生物測定の合致がない限りいかなるデータも送信することができない。メモリカードの別々のコンパートメントは、カードが付与されたユーザに関連する医療、行政あるいは金融情報を含むコンパートメントを具え、この情報へは、医療情報を有するコンパートメントに割り当てられたユニークなピンコードを有するあらかじめ選択されたメモリカードリーダのみがアクセスできる。メモリ識別カードは、そのカードが使われているところを認証するためにシングルチップグローバル位置システム(ＧＰＳ)を具えていてもよい。
2006527422.tif 000002
【特許請求の範囲】
【請求項１】
メモリカードにおいて：
一又はそれ以上の情報を保持するストレージデバイスと；
前記一又はそれ以上のストレージデバイスから又はストレージデバイスへ情報を送信するインターフェース機構と；
前記一又はそれ以上のストレージデバイス中の保持されている前記情報へのアクセスを調整するセキュリティ機構と；
前記メモリカードの位置を同定する追跡機構と；
を具えることを特徴とするメモリカード。
【請求項２】
請求項１に記載のメモリカードにおいて、前記インターフェース機構が、外部デバイスに接続するように構成された一又はそれ以上のコンタクトを具えることを特徴とするメモリカード。
【請求項３】
請求項２に記載のメモリカードにおいて、前記セキュリティ機構が、前記一又はそれ以上のコンタクトの特別な配置を具え、前記メモリカードが前記外部デバイスに関連するユニークなピンコードに基づいて特定のタイプの情報を送信するように構成されていることを特徴とするメモリカード。
【請求項４】
請求項１に記載のメモリカードにおいて、前記インターフェース機構が送信機／受信機を具えることを特徴とするメモリカード。
【請求項５】
請求項１に記載のメモリカードにおいて、前記インターフェース機構がアンテナを具えることを特徴とするメモリカード。
【請求項６】
請求項５に記載のメモリカードにおいて、前記アンテナが少なくとも一のフォイルアンテナ又はセラミックアンテナを具えることを特徴とするメモリカード。
【請求項７】
請求項１に記載のメモリカードにおいて、前記セキュリティ機構が、前記一又はそれ以上のストレージデバイス内に保存されている生物測定情報を具え、実際に測定された生物測定情報と前記インターフェースを介して比較するように構成されていることを特徴とするメモリカード。
【請求項８】
請求項１に記載のメモリカードが更に、フリップチップとしての基板上に位置又はそれ以上の集積回路を具えることを特徴とするメモリカード。
【請求項９】
請求項８に記載のメモリカードにおいて、前記基板がポリイミド基板であることを特徴とするメモリカード。
【請求項１０】
請求項８に記載のメモリカードにおいて、前記集積回路が接着剤で装填されていることを特徴とするメモリカード。
【請求項１１】
請求項１に記載のメモリカードが更に、一又はそれ以上のポリイミドラミネート層を具えることを特徴とするメモリカード。
【請求項１２】
請求項１１に記載のメモリカードが更に、少なくとも１のPyralux (登録商標)又はKapton(登録商標)のポリイミドラミネートを具えることを特徴とするメモリカード。
【請求項１３】
請求項１に記載のメモリカードが更に、電源を具えることを特徴とするメモリカード。
【請求項１４】
請求項１に記載のメモリカードにおいて、前記電源が太陽電池を具えることを特徴とするメモリカード。
【請求項１５】
請求項１に記載のメモリカードにおいて、前記追跡機構がＧＰＳデバイスを具えることを特徴とするメモリカード。
【請求項１６】
請求項１に記載のメモリカードが更に、前記カードの外側表面に表示されている前記カードが付与された人物の写真画像を具えることを特徴とするメモリカード。
【請求項１７】
請求項１に記載のメモリカードにおいて、前記カードがストレージデバイス内に、前記カードが付与された人物のデジタル化した写真画像を含むことを特徴とするメモリカード。
【請求項１８】
請求項１に記載のメモリカードにおいて、前記ストレージデバイスのひとつが、前記カードが付与されたユーザに関する生物測定認証情報を含むことを特徴とするメモリカード。
【請求項１９】
特定の人物に特有の情報を保存し、当該情報を複数の目的に使用するシステムにおいて：
ａ）前記情報を収集し保存する中央発行者と；
ｂ）前記発行者からダウンロードした情報を記録するメモリカードであって、
i）複数の異なるコンパートメント内に前記情報を記録する一又はそれ以上のストレージエレメントと；
ii）前記発行者と前記メモリカード間で情報を送信する一又はそれ以上のあらかじめ選択されたリーダであって、各あらかじめ選択されたリーダが前期メモリカード上の特定のコンパートメントに関連するユニークなピンコードを有し、前記あらかじめ選択されたリーダがそのコンパートメントに関する正しいピンコードを有するコンパートメントからのみ情報を抽出できる、リーダと；
iii）前記生物測定認証情報と前記カードが割り当てられている人物との間で生物測定の合致がない限りいかなるデータも送信できない前記カード上に保存されている生物測定認証情報と；
を具えるシステム。
【請求項２０】
請求項１９に記載のシステムにおいて、前記メモリカードが更に、前記ユニークなピンコードに基く前記発行者と前記メモリカードの間で前記情報を送信するためのコンタクト配置を有することを特徴とするシステム。
【請求項２１】
請求項１９に記載のシステムにおいて、前記生物測定情報が、前記メモリカードが関連する人物のデジタル化した写真画像を含むことを特徴とするシステム。
【請求項２２】
請求項２１に記載のシステムにおいて、前記メモリカードが、前記人物のデジタル化した写真画像と比較するために、前記人物の写真を表示することを特徴とするシステム。
【請求項２３】
請求項１９に記載のシステムにおいて、前記メモリカードが、前記発行者にメモリカードの動きを追跡できるようにするシングルチップＧＰＳエンジンを具えることを特徴とするシステム。
【請求項２４】
メモリカード上の情報を保全する方法において：
ネットワークを介して一又はそれ以上の発行者にアクセスするステップと；
保存されている認証情報を実際の認証情報に比較することによってアイデンティティを認証するステップと；
アイデンティティが認証されたときに前記一又はそれ以上の発行者とメモリカード間で情報を送信するステップと；
を具えることを特徴とする方法。
【請求項２５】
請求項２４に記載の方法において、前記認証情報が生物測定情報であることを特徴とする方法。
【請求項２６】
請求項２５に記載の方法において、前記生物測定情報が、顔の特徴、指紋，ＤＮＡ、および網膜の特徴からなる群から選択した一又はそれ以上の特徴を具えることを特徴とする方法。
【請求項２７】
請求項２５に記載の方法において、前記一又はそれ以上の発行者から情報が送信され、アイデンティティが認証されたときに前記メモリカードにダウンロードされることを特徴とする方法。
【請求項２８】
請求項２７に記載の方法において、前記カード上に保存されている前記情報が暗号化されていることを特徴とする方法。
【請求項２９】
請求項２８に記載の方法において、前記メモリカードが各々が異なる情報バンドルを具え、一のコンパートメントに前記生物測定情報が保存されている複数のコンパートメントを具え、各コンパートメントがそこにアクセスするのに別々のユニークなピンコードを有することを特徴とする方法。
【請求項３０】
請求項２９に記載の方法が更に、前記メモリカードを追跡するための位置情報を提供するステップを具えることを特徴とする方法。
【請求項３１】
請求項３０に記載の方法において、前記位置情報がＧＰＳトラッキングを具えることを特徴とする方法。
【請求項３２】
請求項３１に記載の方法が更に、前記ＧＰＳトラッキングを提供するＧＰＳエンジンであって、前記メモリカードと通信を行うために前記メモリカードかあるいは前記リーダの一方に前記ＧＰＳエンジンを配置したこと特徴とする方法。
【請求項３３】
請求項３２に記載の方法において、前記メモリカードが前記リーダと通信するための特別な配置のコンタクトを具え、各リーダが前記メモリカード上の特定のコンパートメントと通信を行うための前記ユニークなピンコードを具えることを特徴とする方法。
【請求項３４】
請求項３３に記載の方法において、前記カードが前記メモリカードに関連する人物のデジタル化した写真画像を具えることを特徴とする方法。
【請求項３５】
請求項３４に記載の方法において、前記メモリカードが、前記人物のデジタル化した写真画像を表示することを特徴とする方法。
【請求項３６】
請求項３３に記載の方法において、前記カード上に保存された前記生物測定情報が数値で表されることを特徴とする方法。
【請求項３７】
請求項３６に記載の方法において、前記カードに保存されている前記生物測定情報に対応する前記番号と異なるアカウント番号が前記カードに与えられていることを特徴とする方法。
【請求項３８】
請求項３３に記載の方法において、前記メモリカード上に保存されている生物測定情報が変更不可であることを特徴とする方法。
【請求項３９】
情報を記録し、前記情報へのアクセスを制御するメモリカードにおいて：
選択されたリーダによって自動的に検出され認識される前記カード上の電子ファイルのファイルシステムであって、あらかじめ選択されたリーダのみが特定のコンパートメントへアクセスできるように前記カード上の別々の区別されたコンパートメント内に保存されている電子ファイルが現れるように組織化されているファイルシステムと；
リーダと前記カードが付与された人物であって前記カードの所有者との間で生物測定の合致がない限り、いかなるデータも送信できない、前記カード上の生物測定認識情報と；
を具えることを特徴とするメモリカード。
【請求項４０】
請求項３９に記載のメモリカードにおいて、各コンパートメントがアクセスするための異なるユニークなピンコードが必要であることを特徴とするメモリカード。
【請求項４１】
請求項４０に記載のメモリカードにおいて、前記コンパートメントが前記カードが付与されたユーザに関する医療情報を有し、前記医療情報が前記医療情報を有するコンパートメントに割り当てられた前記ユニークなピンコードを有するあらかじめ選択されたリーダによってのみアクセスされることを特徴とするメモリカード。
【請求項４２】
請求項３９に記載のメモリカードが、リーダによってアクティベートされ電力供給されるシングルチップＧＰＳエンジンを有することを特徴とするメモリカード。
【請求項４３】
請求項３９に記載のメモリカードが、あらかじめ選択されたリーダによって再チャージされるように構成されたバッテリを有することを特徴とするメモリカード。
【請求項４４】
請求項４３に記載のメモリカードが、マイクロプロセッサ、ＲＦ受信機、およびＲＦ送信機で強化されていることを特徴とするメモリカード。
【請求項４５】
請求項４１に記載のメモリカードにおいて、前記カードが、前記カードが付与された人物の写真画像を表示することを特徴とするメモリカード。
【請求項４６】
請求項４５に記載のメモリカードにおいて、前記カードがコンパートメントに前記カードが付与された人物のデジタル化した写真画像を含むことを特徴とするメモリカード。
【請求項４７】
請求項３９に記載のメモリカードにおいて、前記コンパートメントのひとつが、前記カードが付与された人物に関する生物測定認証情報を有することを特徴とするメモリカード。
【請求項４８】
請求項３９に記載のメモリカードが電源を有することを特徴とするメモリカード。
【請求項４９】
請求項４８に記載のメモリカードがＧＰＳ追跡能力を有することを特徴とするメモリカード。
【請求項５０】
請求項４８に記載のメモリカードが、無線送信および受信能力を有することを特徴とするメモリカード。
【請求項５１】
請求項５０に記載のメモリカードが、911番に電話をかけてあらかじめ記録されているメッセージを送信するためのボタンを有することを特徴とするメモリカード。
【請求項５２】
請求項４９に記載のメモリカードが、911番に電話をかけてあらかじめ記録されているメッセージと前記カードの位置を送信するためのボタンを有することを特徴とするメモリカード。
【請求項５３】
請求項４８に記載のメモリカードが、デジタル画像を取り、保存し送信する装置と一体化できるように構成されていることうを特徴とするメモリカード。
【請求項５４】
請求項４８に記載のメモリカードが、システムからのあらゆる分離又は除去を記録し、ドキュメントするようプログラムされるように構成した着脱自在のメモリスティック／チップを有することを特徴とするメモリカード。
【請求項５５】
請求項３９に記載のメモリカードが、前記メモリにリアルタイムの音声データを保存するように前記カードに取り付けられたレコーダを有することを特徴とするメモリカード。
【請求項５６】
請求項５５に記載のメモリカードが、あらかじめ選択されたリーダへのアクセスによって前記レコーダをアクティベートする手段を具えることを特徴とするメモリカード。
【請求項５７】
請求項４８に記載のメモリカードが、自動音声ノートブックを有し、前記カードが記録した音声セグメントを時間スタンピングするために、リアルタイムの時間とともに埋め込まれていることを特徴とするメモリカード。
【請求項５８】
請求項５７に記載のメモリカードにおいて、前記レコーダが前記メモリカードに保存されている音声信号を再生する能力を有するあらかじめ選択されたリーダとインターフェースをとるコネクタを具えることを特徴とするメモリカード。
【請求項５９】
特定の人物の独自の情報を保存し、この情報を複数の目的に使用するシステムにおいて：
ａ)  前記情報を収集し保存する中央発行者と；
ｂ）前記発行者からダウンロードした情報を記録する前記人物が携帯しているメモリカードであって、
i）選択されたリーダによって自動的に検出され認識される前記カード上の電子ファイルのファイルシステムであって、別々の区別されたコンパートメント内に保存されている電子ファイルが現れるように組織化されたファイルシステムと；
ii）リーダと前記カードを所有し前記カードが付与された人物間に生物測定の合致がない限り、いかなるデータも送信することができないようにした前記カード上の生物測定認識情報と；
を具えるメモリカードと；
ｃ）特定のコンパートメントから前記メモリカードから情報を抽出するようにプログラムされたあらかじめ選択されたリーダであって、各あらかじめ選択されたリーダが前記メモリカード上の特定のコンパートメントに関連するユニークなピンコードを有しており、前記あらかじめ選択されたリーダだけがそのコンパートメントに関連する正しいピンコードを持っているコンパートメントから情報を取り出すことができる、リーダと；
を具えることを特徴とするシステム。
【請求項６０】
請求項５９に記載のシステムにおいて、前記生物測定情報が、前記メモリカードが関係する前記人物のデジタル写真画像を具えることを特徴とするシステム。
【請求項６１】
請求項６０に記載のシステムにおいて、前記メモリカードが前記人物の前記デジタル写真画像と比較のために、前記人物の写真を表示することを特徴とするシステム。
【請求項６２】
請求項５９に記載のシステムにおいて、前記メモリカードが前記発行者が前記メモリカードの動きを追跡できるようにするシングルチップＧＰＳエンジンを具えることを特徴とするシステム。
【請求項６３】
アイデンティティを認証し、ある人物に関する情報を抽出する方法において：
前記人物に関する個人認証生物測定情報をメモリカード上に保存するステップであって、前記情報が前記カード上のほかのコンパートメントから分離されているコンパートメントに保存されているステップと；
前記メモリカードを認証の目的でリーダによってスキャンするために提出するステップであって、前記リーダが前記カード上の前記コンパートメントへのアクセスを許可するユニークなピンコードを有するステップと；
前記アクセスされた生物測定情報を前記人物から直接とった生物測定情報と比較するステップと；
を具えることを特徴とする方法。
【請求項６４】
請求項６３に記載の方法において、前記生物測定情報が、前記人物の顔の特徴、指紋、ＤＮＡ、および網膜の特徴からなる群から選択されることを特徴とする方法。
【請求項６５】
請求項６３に記載の方法において、前記メモリカードが、各々が、医療、セキュリティ、保険、エンターテイメント、ホスピタリティ、金融、旅行、一般ビジネス、および法執行当局の目的を含む、異なる情報バンドルを具えるその他のコンパートメントを具え、各コンパートメントがそこへアクセスするための異なるユニークなピンコードを有することを特徴とする方法。
【請求項６６】
請求項６３に記載の方法において、前記メモリカードが前記メモリカードの位置を追跡できるシングルチップＧＰＳエンジンを有することを特徴とする方法。
【請求項６７】
メモリカード上の情報の安全を図る方法において：
指定された位置に認証情報を保存するステップと；
個人から直接取った認証情報を前記保存されている認証情報と比較してアイデンティティを認証するステップと；
前記個人のアイデンティティの認証に当たって前記メモリカード上に保存されているあるいは保存されるべき情報にアクセスを許可するステップと；
を具えることを特徴とする方法。
【請求項６８】
請求項６７に記載の方法において、前記認証情報が生物測定情報を具えることを特徴とする方法。
【請求項６９】
請求項６８に記載の方法において、前記生物測定情報が前記メモリカード上に保存されることを特徴とする方法。
【請求項７０】
請求項６９に記載の方法において、前記生物測定情報が、顔の特徴、指紋、ＤＮＡ、声紋の特徴からなる群から選択された一又はそれ以上の特徴を具えることを特徴とする方法。
【請求項７１】
請求項６７に記載の方法が更に、各々が異なる情報バンドルを具え、多数のコンパートメント付の前記メモリカードを提供するステップであって、一のコンパートメントに前記生物測定情報が保存されており、その他のコンパートメントが、医療、セキュリティ、保険、エンターテイメント、ホスピタリティ、金融、旅行、一般ビジネス、および法執行当局の情報のうちの一又はそれ以上を含む情報を具え、各コンパートメントがそこへアクセスするための異なるユニークなピンコードを有することを特徴とする方法。
【請求項７２】
請求項６７に記載の方法が更に、前記メモリカードの追跡を許す位置情報を提供するステップを具えることを特徴とする方法。
【請求項７３】
請求項７２に記載の方法において、前記位置情報がＧＰＳトラッキングを具えることを特徴とする方法。
【請求項７４】
請求項７３に記載の方法が更に、ＧＰＳ追跡を提供するためのＧＰＳエンジンを具え、このＧＰＳエンジンが前記メモリカードと通信を行うために前記メモリカードあるいはリーダのうちの一方に設けられていることを特徴とする方法。
【請求項７５】
請求項６７に記載の方法が更に、前記メモリカードと、前記メモリカードの外の一又はそれ以上のターゲット位置との間で指定された情報を送信するステップを具える事を特徴とする方法。
【請求項７６】
請求項７５に記載の方法において、前記ターゲット位置が一又はそれ以上のデータベースを具えることを特徴とする方法。
【請求項７７】
請求項７６に記載の方法において、前記指定された情報を送信するステップが、前記メモリカードおよび前記一又はそれ以上のデータベースに保存されている情報をアップロードするステップおよびダウンロードするステップを具えることを特徴とする方法。
【請求項７８】
請求項７５に記載の方法において、前記ターゲット位置が一又はそれ以上の協会を具えることを特徴とする方法。
【請求項７９】
請求項６７に記載の方法において、前記メモリカード上に保存された情報が、前記メモリカードの所有者によって変更することができないことを特徴とする方法。
【発明の詳細な説明】
【技術分野】
【０００１】
発明の属する技術分野
本発明は一般的に、情報、特に盗まれたアイデンティティを使わないようにする情報処理方法に関する。
【背景技術】
【０００２】
発明の背景
署名は、何世紀もの間、主たる認証方法として使用されてきた。何年もの間かは、このプロセスには、新たに署名された書類と以前の署名の視覚的な検分が必要であった。しかしながら、このプロセスは、通常、署名を比較する典型的にわずかなスキルしか持たない個人によってなされる主観的な決定に依存しており、大きな制限がある。近年は、認証プロセスの補助にコンピュータを用いるようになっているが、それでもたくさんの問題がある。この問題の大部分は、ビジネスと社会のグローバリゼーションに起因する。たとえば、言語、文化、地理的な場所の違いによって、考慮し、適正に取り扱わなければならない新たな変化が多く加わった。
【０００３】
もうひとつの複雑なファクタは、我々がいわゆる「情報世代」（information age）に生きていることである。このフレーズが意味するものは、情報が非常に重要であり、容易にアクセスできる時代に我々が生きているということである。しかしながら、情報世代が社会で持っていたインパクトに関して本当に高い評価を得るには、「情報」という言葉の意味にその評価を反映させる必要がある。「情報」は、今日の環境では広い意味を持ち、ほんの数例を挙げると、あらゆるタイプの「データ」(data)あるいは「事実」(facts)を、例えばテキスト、グラフィックス、オーディオ、又はビデオなどのあらゆるフォーマットでカバーしている。
【０００４】
技術革新によって、例えば、電話、レコーダやＰＤＡなどの携帯デバイス、インターネットなどのコンピュータネットワークを介して、情報をあちこちに広めることが容易になってきている。情報を容易に得て、容易に広めることができることで、プライバシィの問題や、フロードやセキュリティに関する問題、といった多くの問題が生じている。微妙な公的あるいは私的情報の著作権侵害をやめさせようとする法律が制定されたが、これは問題の源にわずかに近づいただけであった。
【０００５】
さらに、技術が進歩し、世界中の商品とサービスをリンクさせているので、洗練された社会の経済と安定性が、複雑化した攻撃と不安定化の手段に対してより無防備になっている。政治と経済は、電話、ケーブル、および無線技術を介して世界的にリンクされている。この技術通信の革命は、我々の社会を新しいワールドワイドなものにした。我々の現在の技術に対する、自由世界を混沌とさせることを望んでいる第三社会の干渉は、まさにすべての人々への常態化した脅しである。
【０００６】
世界的な通信システムにリンクしたコンピュータは、現在のシステムでは無防備である。現在のシステムは、いわゆる「ワーム」「ウイルス」と呼ばれる電子プログラムの攻撃を受け入れ、現在のシステムは「ハッカー」による厄介な侵入を許すものである。重要な政府機能や個人的記録を制御できる適当なシステムは現在は存在しない。
【０００７】
政府あるいは私的な研究所にリンクされている情報に対する攻撃を防ぐこととは別に、自由世界を破壊することを望んでいる犯罪者とテロリストを追跡し察知する方法の開発も望まれている。現在、この犯罪に対する攻撃に対して責任のある実際の人物にリンクする適当なシステムは存在しない。
【０００８】
上述の観点から、情報の保全が維持可能であり、伝播を統制できる態様を改善する必要がある。
【０００９】
発明の概要
本発明は、情報処理システムおよびその方法を開示している。
【００１０】
一実施例によれば、本発明の方法は、メモリデバイスに情報を保存するステップと、セキュリティ手段に基づいて前記メモリデバイスに保存されている情報へのアクセスを規制するステップとを具える。例示的な実施例では、前記セキュリティ手段が、一又はそれ以上の生物測定特性を具えていてもよい。この方法はさらに、前記メモリデバイスに保存されている情報へのアクセスを規制するためにリーダを提供するステップと、前記情報へのアクセス許可があると前記リーダあるいはメモリデバイスと通信を行うインターフェースを提供するステップのいずれか一方、あるいは両方を具えていてもよい。この方法は、所望の時間に前記メモリデバイスの位置を同定するステップを具えていてもよい。
【００１１】
発明の詳細な説明
以下に述べる本発明の実施例は、所望の場所に、ハードウエア、ソフトウエア、あるいはこの二つの組み合わせを用いて実装することができる。様々な実施例を商業的に入手可能な技術を用いて実装することができる。
【００１２】
一の実施例では、情報処理システムは、情報を保存するステップと、セキュリティ手段に基づいて当該情報へのアクセスを規制するステップとを具える。あらゆる所望のセキュリティ手段を所望の場所に用いることができるが、例示的な実施例では、このセキュリティ手段は、以下に詳細に述べる一又はそれ以上の生物測定特性を具えている。
【００１３】
上記システムを説明するために、図１に示す識別メモリカードなどのストレージデバイス１２、識別カードリーダなどの処理デバイス１４、ホストデバイスなどのインターフェース１６を具える以下の例を用いる。
【００１４】
ここで用いられている「ストレージデバイス」の用語は、デジタル及び／又はアナログ形式の情報を保存するように構成されたあらゆる好適な電子又は磁気ストレージ媒体を介するなど、情報を保存する能力のあるあらゆるデバイスを含むと広く解するべきである。「識別メモリカード」も、好適なサイズであり、持ち運び可能に構成されたあらゆるストレージデバイスを具えると広く解するべきである。説明の目的で、以下に述べる例は、従来のクレジットカードに対応する好ましいサイズと形状を持ち、デジタル形式の情報を保存し処理するメモリおよび処理能力でなるDigital IDTM(DIDTM)などのスマートカードタイプのデバイスを具える識別メモリカードの一実施例と関連付けて述べる。しかしながら、識別メモリカードは、ほかのサイズであってもよく、アナログ及び／又は磁気などのその他のフォーマットの情報を保存し処理するように構成されたものであってもよいと理解するべきである。
【００１５】
ここで用いられている「処理デバイス」の用語は、ここに述べるストレージデバイスとインターフェースと通信し、所望の場合にこれらのデバイスに関連する情報を処理する能力を有するあらゆるデバイスを含むと広く解釈するべきである。ここで用いられている「識別メモリカードリーダ」の用語も、図１に記載され、詳細を以下に述べるような、本発明の実施例による識別メモリカードとホストデバイスと通信を行うことができるあらゆる好適なタイプの処理デバイスを含むと広く解釈するべきである。
【００１６】
ここで用いられている「インターフェース」と「ホストデバイス」の用語は、所望の場合に処理デバイス／識別メモリカードリーダ、及び／又は、ストレージデバイス／識別メモリカードと通信を行うように構成したあらゆるデバイスを含むと広く解釈するべきである。例えば、ホストデバイスは、例えばコンピュータや電話、あるいはその他のあらゆる好適なデバイスなどの、識別カードリーダと通信を行うことができるセパレートデバイスを具えていてもよい。このインターフェースは、標準シリアルＵＳＢ、あるいはＩＥＥＥ−１３９４「ファイヤーウオール」コンピュータインターフェースなどの、あらゆる好適な手段によって実行することができる。別の実施例では、ホストデバイスと識別カードリーダは、単一のデバイスであってもよい。アプリケーションソフトウエアは、商業取引、医療記録、旅行用書類、娯楽トランスアクション、行政上の書類など、いくつもの所定のサ―ビスについてホストコンピュータ上で稼動させることができる。各サービスは、認識メモリカードの取引を読み取り、取引を行うために、別のアプリケーションソフトウエアを、それに関連するユニークな認証リーダ／センダと共に有していてもよい。一の実施例では、ホストコンピュータはユーザ特定生物測定キーデバイスを具える識別カードリーダとのインターフェースを介して識別カードデータへのアクセスを獲得する。この識別カードリーダは、後の処理と比較のためにこの生物測定データをホストコンピュータへ送る。このリーダは、その他のアプリケーションに対してユニークなものであってもよい。様々なアプリケーションは、識別カードの所望の保護メモリの様々な暗号化領域にアクセスすることができる。
【００１７】
「コンピュータ」の用語は、限定することなく、プロセッサ；マイクロプロセッサ；ラップトップ、パームＰＣ、デスクトップ、又はワークステーションなどのパーソナルコンピュータ；ネットワークサーバ；メインフレーム；例えば、電話などの電子有線又は無線デバイス；例えば、インターネットに接続するように構成されたテレビなどの、対話式テレビあるいはテレビに取り付けた電子ボックス；携帯電話；パーソナルデジタルアシスタント；電子ページャ；およびデジタル時計を含む、情報を受信し、送信し、及び／又は使用することできるあらゆるデバイスを含む。
【００１８】
以下により詳細に説明するとおり、本発明の様々な実施例によれば、ストレージデバイス／メモリカード１２と、当該ストレージデバイス／メモリカード１２の外部の一又はそれ以上の位置との間で情報を送信することができる。「一又はそれ以上の位置」の用語は、例えば、以下に述べるように、例えば、協会など、ストレージデバイス／メモリカード１２と相互取引を所望するあらゆる指定位置を含むと、広く解釈するべきである。前記一又はそれ以上の外部位置は、一又はそれ以上のデータベース、あるいは、情報をアップロード又はダウンロードすることによってストレージデバイス／メモリカード１２と取引を行うことができる同様の型のストレージデバイスであってもよい。
【００１９】
ストレージデバイス／メモリカード１２と様々な外部位置との間を、処理デバイス／識別メモリカードリーダ１４、及び／又は、インターフェース／ホストデバイス１６を介して、例えば、あらゆる有線又は無線ネットワーク、電話又は携帯電話ネットワーク、インターネット、イントラネット、エクストラネット、などのすべてのネットワーク上で、情報を送信することができる。
【００２０】
一の実施例では、例えば、他のものも適用可能であるが、リーダは、各リーダが所定のアプリケーションに対してユニークであるように、設定可能なコンタクト又はピン配置を有している。このように、識別カードメモリの様々な領域にアクセスするのに様々なリーダが必要である。認識カードリーダは、ＡＣ又はＤＣ電源、識別カードと取引を行うコントローラを具えていてもよい。さらに、所望の場合は、全システムに位置追跡が組み込まれていてもよい。例えば、リーダには、認識カード内のシングルチップの受信機とグローバル位置システム（ＧＰＳ）プロセッサのサポートに必要なフロントエンドＲＦと変換が設けられていてもよい。
【００２１】
別の実施例では、識別カードは、識別カードの保護メモリにアクセスするように復調された設定可能なコンタクトあるいはピンアレンジメントを有するものであってもよい。この場合、一つの目的のためにメモリに含まれているアプリケーションデータが、別の目的をもつ別の無関係なアプリケーションでアクセスされないことが好ましい。例えば、医療記録のプロバイダは、商業銀行の記録にアクセスすることができないし、逆もしかりである。このように、データへのアクセスが制限されており、一の使用あるいは別の使用に調整されている。認識カードメモリは、各アプリケーション領域に応じてセグメントに分けられている。各領域は、ストレージ用に指定の容量スペースが割り当てられている。これらの情報領域は、限定する必要はないが、以下を一又はそれ以上の例を含むことができる：識別カードキャリアの暗号化したデータ、写真、医療履歴、クレジットカード情報、歯科記録、ドライバ情報、クレジットカード記録、入国管理書類、旅行およびパスポートの記録、及び一般的な個人データ、その他。さらに、識別カードには、必要なときに、識別カードリーダから電源が供給され、グローバル位置システムが可能なデバイスが取り付けられていてもよい。オンボードプロセッサなどの、カード上に含まれるデバイスがオンボードアンテナからエネルギィを受信できないときには、ＲＦの供給を用いることができる。
【００２２】
例示的実施例は、デジタル識別デバイスとして使用されている。このデジタル識別デバイスは、安全な個人情報媒体として使用することができるカードあるいはそのようなタイプのデバイスを具えていてもよい。この実施例では、取り外しのできない、フラッシュメモリなどの非揮発性固相メモリを、記録ユニット内に暗号化したデジタルデータを保存するのに使用できる。所望の場合はその他のストレージ機構を使用することもできる。このメモリは、分割され、メモリ中の特別な場所に特別なタイプのデータを保存するようにすることができる。このように、例えば、個人名、符号化したデジタル個人認証写真、医療履歴データ、ドライバのデータ、その他といった、情報領域にメモリブロックを振り分けることができる。カードは、カードがリーダの表面内などに設けた溝付ポートに挿入されたときに、再生／送信リーダユニットなどの別のリーダとインターフェースをとるために、カードの底面などにコネクタを有していてもよい。再生／送信ユニットは、デジタル識別メモリカード上の符号化された特定のデータにアクセスできるユニークなピンコードを有していてもよい。このように、特定のユーザのみが、特定のデータへアクセスすることができる。例えば、カードが発行された人物、すなわち、カードの所有者は、すべての情報を不正に変更するあるいは書き換えるためにデータにアクセスすることができない、警察は写真ＩＤやドライバデータにアクセスできるが、医療データやその他の個人データにはアクセスできない、同様に医者は医療履歴にはアクセスできるが、銀行記録にはアクセスできない、などのように調整することができる。
【００２３】
上述したとおり、シングルチップのＧＰＳエンジン、その他の好適なデバイスといった位置追跡機構を、システム及び方法の一部として含めることができる。一の実施例では、再生／送信ユニットに接続すると、再生／送信カードリーダユニット上のアンテナをシングルチップＧＰＳソリューションに接続する電送路が作られる。再生／送信ユニットを介して電力が送られる。電力供給と、処理すべきＧＰＳ信号に必要な時間遅れの後、時間と位置情報が入手可能となる。この位置および時間情報は、指定された時間スタンプやデジタル識別カード内の各取引に使用することもできる。さらに、再生／送信ユニットは、ユーザからの相関関係をカード上に保存されている生物測定情報とする生物測定指紋リーダを具えていてもよい。正しく適合した場合にのみ、カード上のデータへアクセスすることができる。
【００２４】
別の実施例は、無線接続付のデジタル識別メモリカードを具える。この実施例では、デジタル識別メモリカードを無線通信能力に組み合わせることができる。この実施例では、デジタル識別メモリカードは、マイクロプロセッサ、ＲＦ受信機、ＲＦ送信機、バッテリなどの電源により性能が向上する。この能力によって、無線ランや、無線インターネット接続を介してインターネットへ接続が可能となる。ＧＰＳの受信と解読により、カードをそれ自体に位置させることが可能となる。このように、カードの位置を、放送する、受信する、標準インターネットブラウザを用いてマップ上に示すことができる。また、ショートメッセージサービス（ＳＭＳ）あるいはエンハンスドメッセージサービス（ＥＭＳ）あるいはそのほかのテキストメッセージを、認証されたユーザのリクエストによって、無線モバイルハンドセットに送ることもできる。この実施例では、再生／送信ユニットをバッテリチャージャとして動作させることもできる。
【００２５】
別の実施例では、メモリカード上に位置デバイスを設けて、カードがスキャナの近傍にある場合には、スキャナの形をとるリーダと無線手段で通信することができる。例えば、位置デバイスは、ＩＤなどの指定された情報を自動的にあるいはスキャナのリクエストによって、スキャナに送信するように構成することができる。位置デバイスは、カードがスキャナに近接している場合には、スキャナによるといった、カード外部の電源、あるいはカード自身に設けられた電源、のいずれかによって電気が供給される。この実施例では、直接的に、すなわち０−１フィート、又は部屋、建物、あるいはその組み合わせ，その他などのより広い距離といった、さまざまな距離から、スキャナと通信するように構成することができる。スキャナは、所望の方法でカードから受信した情報をさらに処理することができる。例えば、商店、大会、展示会など用に通行人の数を数えるカウンタとしてスキャナを使用することもできる。さらに、例えば、許可／無視のリスト、最もほしいリスト、など、指定された情報に対してスキャナでＩＤを比較することもできる。指定される情報は、スキャナに部分的に保存するか、ネットワークを介するなどして外部のストレージソースから提供される。スキャナは、ボーダチェックポイント、あるいはそのほかの安全な領域、レーダの規制あるいはその他の法執行当局による器具、など、さまざまなあらかじめ選択された位置に配置するようにする。
【００２６】
さらに別の実施例では、限定されるものではないが、医療のための患者および子供を含む人用個人デジタルボイスレコーダとして使用される。この実施例では、レコーダは、リアルタイムのボイスデータを、非揮発性メモリなどに保存する。レコーディングは、再生／送信ユニットを用いて、いつでも好きなときに親が開始することができる。ついで、レコーダを、子供や患者などの使用者に取り付けて、子供や患者に近接するすべての音を、低電力状態になるか、あるいはメモリがフルになるまで記録する。メモリは、親又は委任された保護者によって記録時間の量と忠実性に応じて量ることができる。
【００２７】
その他の実施例では、例えば巡回するヘルスケア専門家用の自動ボイスノートとして使用することができる。一例として、建物の検査士、メンテナンスあるいはセキュリティ、および軍隊の人事などで同様に使用することも考えられる。この実施例では、記録ユニットに暗号化したデジタルデータを保存するのにフラッシュメモリなどの取り外し不可で、非揮発性のメモリなどの、メモリを使用することができる。このユニットでは、サイズと重量を最小に保つために小さなセルを使用するようにしてもよい。リアルタイムでのクロックを記録ユニットに埋め込んで、記録したボイスセグメントに時間スタンピングを行うのに用いることもできる。その底面などに記録ユニットがその表面に設けた溝状開口に挿入されたときなどに、別の再生ユニットとインターフェースをとるコネクタを記録ユニットに設けてもよい。再生ユニットは、スピーカ、プレイボタン、音量コントロール、データ内を案内するための「フォーワード／リバース」スイッチ、などの従来の特徴を含むものであってもよい。記録ユニットも再生ユニットも、さらに、アイデンティティをなくした場合に、あるいはアイデンティティに合致する場合に個人的ユニットを認識するのに使用する、ハウジング認証特性上のマッチングバーコードなどの認識特性を具えていてもよい。
【００２８】
更なる実施例は、電子ファイルの個人発信者の認識及び追跡方法およびシステムに関する。この方法は、セキュリティを強化し、電子メールや、電子商業書類などのファイルの責任能力を提供する。一又はそれ以上の生物測定パラメータなどのユニークな個人識別子を、伝統的な署名あるいは紙に書かれたマークに代えて使用することができる。この方法は、コンパクトで持ち運び可能な電子ストレージデバイス、生物測定およびそのほかの個人的特徴などのユニークな個人マーカの認識、グローバル位置衛星技術による追跡回路、ソフトウエアおよび、コンピュータやＰＤＡ携帯電話などの通信デバイスのあらゆるインターネットワーキングあるいはリンクに使用する新規な技術を使用している。この方法は、さらに、デジタル化したデータを解析し、一又はそれ以上の生物測定センサを用いて、このデータを認証する指定されたユニークなリーダを用いる。この方法は又、ファイルを開けて受取人のハードドライブに潜在的にダウンロードされる前にファイル送信者のアイデンティティを承認するファイルの外で見ることができるユニークな認証マークを提供する。したがって、この方法によれば、ファイルを発信した実際の場所と時間と同様に認証と責任能力を提供する。この方法の例示的な利点と実施例が以下に挙げられている。
【００２９】
セキュリティ・・・ファイル送信者が同定される。電子書類を使った偽造と詐欺を減らすことができる。これは、商業と政治を含むすべてのビジネスに適用できる。
安全性・・・認証された署名を電子ファイルを開かずに見ることができる。この方法によれば、個人、ビジネス、政府は、外部の認証マークなしで自動的にすべてのファイルを拒絶することができる。このことで、「ワーム」や「ウイルス」といった危険な電子プログラムの通過と広がりをより難しいものにする。
位置・・・このシステムによれば、位置をリアルタイムであるいは特定のイベント時に追跡できる。これは、ＧＰＳ技術とソフトウエアを用いてなされる。普通、位置を発見できるのみでなく、正確な場所、時間および人物を発見して、法に照らして処分することができる。特定の領域および人物を、権限によってよりしっかりと観察して把握することができる。
プライバシィ・・・この方法によれば、個人が、何のファイルが自分のコンピュータ又はデバイスに送られるかを選択することが可能である。これは、「スパン（ｓｐａｍ）」を効果的に調整し、個人のプライバシィの侵害を調整する。
【００３０】
例Ａ  Home Use
ユーザＩ―――ＤＩＤＴＭカードをリーダ「ＨＯＭＥ  ＵＳＥ」におく―――指紋及び／又は網膜スキャン認識でアイデンティティを認識する―――電子ファイルが書き込まれ、「ＨＯＭＥ」コンピュータから送られる―――受信者コンピュータがＩＮ  ＢＯＸ内に電子ファイルを受信する―――ユーザ２が、コンピュータをあけて、ＩＮ  ＢＯＸを見る―――ユーザ２は、送信者のアイデンティティ認証用の「ＡＵＴＨＥＮＴＩＣＡＴＩＯＮ  ＭＡＲＫ」を同定する―――ユーザ２はファイルを開けて、安全にコンテンツを読む。
【００３１】
この手順は、インターネットなどのあらゆるコンピュータネットワーク上で行うことができる。さらに、この手順は、個人あるいはマルチパーティ通信に対して誰でも同じ方法で、即時メッセージやチャットルーム通信のようにリアルタイムで行うことができる。
【００３２】
代替的に、ユーザ２は、「認証つき」署名のあるファイルのみを許可するように自分のコンピュータをあらかじめプログラムしておいてもよい。このことで、ほとんどの「スパン」が、ＩＮ  ＢＯＸに届く前に自動的にブロックされる。これによって、個人のプライバシィを保護する。
【００３３】
例Ｂ  不法行為
ユーザＩ―――安全な認証なしにインターネットにログインする―――新しいウイルス付ファイルをＧＯＶＥＲＮＭＥＮＴあるいはＢＡＮＫコンピュータに送信する―――受信者のコンピュータソフトウエアは認証シールをチェックする―――生物測定シールが表示されていない―――ファイルが自動的に削除される―――個人認証がないためファイルは読まれることなく削除された旨を記載したメッセージを送信者コンピュータに送り返す。
【００３４】
この例は、ビジネスおよび政府ファイルを、ウイルス、ワーム、アイデンティティを隠そうとしているハッカーの攻撃から保護するセキュリティレベルを説明する。この組織コンピュータネットワークの完全性はより安全である。
【００３５】
例Ｃ  不法行為者の同定と追跡
ユーザＩ―――ＤＩＤＴＭカードをリーダに入れる―――生物測定センサが例えば指紋及び／又は網膜スキャンを用いて所有権を認証する―――ＧＰＳチップを介して時間と場所をスタンプする―――新規ウイルス付の電子ファイルが作られて銀行に送られる―――銀行のコンピュータがファイルを開き、ウイルスに感染する―――ユーザ１が、カリフォルニア州９９２０１、ハリウッド、スミスレーン１２３に住むジョン・ドウであることが認識される。そのファイルは（正しい場所、日時）で発信された―――銀行は、ユーザ１の生物測定署名によって認証されたこれからのすべての電子メールをブロックする―――専門化がすばやく違法行為者を見つけて逮捕する―――彼のＤＩＤＴＭカードはその取引を書類にし、裁判の証拠として使用する。同様に、このシステムは、子供のポルノ写真を防止するのにも使用することができる。
【００３６】
代替のバージョンでは、ＤＩＤＴＭカードをＧＰＳによって追跡することができ、犯罪をより早く追跡できる。
【００３７】
更なる実施例では、チェックや、クレジットカードの取引や、預金の引き出しや送金など、さまざまな金融取引を実行する手段としてメモリカードを使用することができる。たとえば、現金取引では、メモリカードはインターネットなどのネットワークを介して、指定の銀行協会に連絡し、特定の口座から資金を電子的に転送してメモリカード上にダウンロードして保存するのに使用することができる。この実施例では、メモリカードは、実際のところ安全な財布になる。他の協会又は個人から特定のメモリカードへ資金を転送することもできる。
【００３８】
同様に、メモリカードから、デポジット用に指定の金融協会に資金を、あるいは、購入又は支払い用に非金融協会、又は個人に逆に転送することもできる。
【００３９】
小切手による取引でも、以下に述べる同様の処理がなされる。すなわち、小切手をカード上に保存しておき、指定の協会に接続がなされたときに、小切手情報がカードからアップロードされてデポジット用又は購買あるいは支払いを小切手で行うために協会にてダウンロードされ、あるいは、この取引は小切手の現金化するためのものでもよい。協会から送られてきた電子フォームの資金をカード上でダウンロードするといった更なるステップが生じることもある。
【００４０】
本発明では、生物測定によってコード化されて資金が送受信されるので、個人、政府および企業は、インターネットを介して従業員の賃金台帳などに自由に資金を分配することができる。さらに、所有者がカードを紛失したり置き忘れたりした場合でも、そのオリジナルカードに保存された資金は失われない。紛失カードを見つけた者は、生物測定が合致しないのでその資金にアクセスすることができない。銀行又はその資金を出した協会又はパーティによって同じ資金が新しいカードに提供される。もともとの資金は、所望の場合は無効にすることもできる。
【００４１】
本発明の別の実施例は、署名の認証に関する。図１に示すように、例示的な実施例は、メモリカード１０の形式のストレージデバイスと、リーダ１２の形式の処理デバイスと、コンピュータ１４の形式のホストデバイスを具える。上述したとおり、別の実施例では、所望の場合はリーダとコンピュータをひとつのデバイスの中で組み合わせるようにしてもよい。その他の処理デバイスは、ファックス機などを使用することができる。この実施例では、メモリカード１０と、たとえばメモリカード１０に保存されている生物測定情報などの関連するセキュリティ手段を使ってアイデンティティを認証することができる。メモリカード１０は、署名認証の目的でユーザから取った一又はそれ以上の生物測定特徴と組み合わせて用いることができる。以下に、本発明に係るいくつかの例を説明する。
【００４２】
一の例では、所定のコンピュータへのログインなど指定デバイスへのアクセスを獲得するために、ユーザのメモリカード１０と生物測定の合致が要求される。メモリカード１０と生物測定の合致は、本質的に、ユーザのアイデンティティを認証するために本実施例ではパスワードとして働く。ユーザのアイデンティティが認証されない場合はアクセスが否認される。別の実施例では、いずれかの所定のコンピュータへのアクセスが指定された個人に制限されており、メモリカードと関連する生物測定情報も容認されたユーザのみへとアクセスを制限するよう働く。
【００４３】
さらに、この例およびその他の例においては、たとえば、電子メール、デジタルセンダ、ファックスあるいはその他の電子フォーム書類によってネットワークを介して電子的に受信者と通信を行うために、ユーザにメモリカード１０と生物測定の合致が要求される。上述したとおり、メモリカード１０／生物測定合致がコンピュータにログインするのに要求される場合、受信者と電子的に通信するためには、アイデンティティがすでに認証されることが必要で、所望であれば、さらにセキュリティ手段を追加することができる。代替的に、セキュリティ手段においてあるいは追加したセキュリティ用のログがない場合、電子通信は、送信者のアイデンティティの認証に、さらに認証マークを要求するようにしてもよい。このマークは受信者に送られた通信とパッケージにすることもできる。
【００４４】
さまざまな実施例の認証マークを用いることができる。このマークは、所望の場合は、受信者がみることもできるし、見えないようにすることもできる。上述したように、可視認証マークは、受信者に対してドキュメントを開いても安全であることの信号として作用する。しかしながら、認証マークの存在は、以下に述べるように、可視であるか否かに関係なく、署名認証のメカニズムとして働く。たとえば、認証マークが存在しない限り、通信が特定のコンピュータから送られないように、及び／又は、受信コンピュータによって受信が拒否されるようにシステムを設定することができる。代替的に、送信者コンピュータ及び／又は受信者コンピュータが認証マークの存在を検出することができ、マークが存在するか否かを受信者に通知するように構成することもできる。そのほかの例も可能である。
【００４５】
認証マークは、名前や位置など、送信者に関するさまざまな指定情報を含むものであってもよい。特定のインターネットプロトコル（ＩＰ）アドレスなどの位置情報は、コンピュータ１４を介して提供される。別の実施例では、位置情報はメモリカード１０を介するなど、別の手段によって提供され、ＧＰＳ追跡情報がカード１０からコンピュータ１４へリーダ１２を介してアップロードされる。生物測定及び／又は名前情報は、メモリカード１０から提供するようにしてもよい。メモリカード１０あるいはコンピュータ１４、又はその双方からの時間と日付のスタンプなど、そのほかの情報も所望の場合に提供される。
【００４６】
取引において、認証マークは、電子通信の送信者のアイデンティティを認証するよう作用し、したがって、特定の電子通信のコンテンツを認証するようにも作用する。このため、認証マークは、署名認証の形式で、あるいは、たとえば契約書、金融取引、商取引、その他などの法的書類を拘束するべく署名が要求される場合などでは、物理的な署名の代用として機能しうる。
【００４７】
さらに別の実施例では、取引を必要とするなど、売買あるいはサービスを個人が受け取ることが望ましいような場合、メモリカードを用いて個人のアイデンティティを認証することができる。
【００４８】
本発明のある実施例の多々の利点の例である。
１．構成・・・マイクロチップとプリント回路基板の内部接続の複雑さにもかかわらず、ストレージデバイスは財布に容易に入れることができるカードなど、軽量デバイスに構成されている。
２．ストレージデバイスを動作させるのに電池を必要としない。
３．セキュリティ・・・コンタクトあるいはピンによって入力されたデータが暗号化されて保存され、出力データが解読される。これは、コンタクトリーダが特定のデータ用のリーダとして分類されている場合にのみ行うことできる。
４．すべてのデータが区分けされており、所定のリーダ（再生／送信ユニットともいう）のみが所定のデータにアクセスすることができる。たとえば、このデバイスが運転免許証として使用される場合、警察のリーダは運転者のデジタル写真、運転履歴、逮捕あるいは有罪の履歴にアクセスできる。
５．リーダ（再生／送信ユニット）とカードを所有する人物の間に、たとえば指紋、手のひら又は手紋、網膜合致、顔紋、あるいはＤＮＡスクリーンなど、生物測定の合致がない限り、データは送信されない。
６．カードの所有者の写真がデジタル的に暗号化されている。
７．カードからのデータはカード発行者のハードドライブに自動的に保存され、特定のソフトウエアを用いてアップロードすることによって容易に置き換えることができる。
８．内部回路とマイクロチップの耐久性が高められている。
９．ユニークな回路をもつＧＰＳ技術は位置追跡技術が一体化されているので、まさにカードが使用された時間と空間にカードをおくことができる。この特徴は、様々な業界で犯罪や詐欺を防ぐなど、大きな影響をおよぼす。
１０．相互作用・・・ストレージデバイスは編集することもでき、編集不可にすることもできる。この特徴の利点は、以下の例に反映されている。ある人物が医者を訪ねる。その人物はカードを提示する。彼又は彼女はカードに生物測定的にリンクされており、所有権が認証される。彼又は彼女が診察を受けた時間と場所として、内科医と最後に会ったときの彼又は彼女の保険情報と医療情報が記録されている。医師は患者を診察し、内科医の送信／再生ユニットを介してカードをアップデートし、患者に新しい処方を書く（更に特別なソフトウエアによって、この処方が患者が現在使っている薬と逆に作用しないようにし、薬剤の名前とその使用説明を明確にプリントすることができる。）患者は、薬局に行く。彼又は彼女は再び、生物測定によって同定され、彼又は彼女のカードを薬局のリーダに置く。薬局のリーダは、アクセス許可のあるアイテム以外の患者のその他の情報を読むことができない。これは、主に、保険情報と処方情報である。これは、カードの相互作用特性の一例であり、理解されるように、そのほかの例を提供することもできる。
【００４９】
本発明の実施例にかかる識別カードの相互作用の特徴は、以下の利点を提供することができる。
・暗号化及び／又は生物測定による認証保護
・区分けしたメモリによる秘密性と、再生／送信機能のコンタクトシステムによって各取引に必要な情報のみにアクセスできる。
・所定のリーダによるシステムの所定の部分へのアクセスに基づくユニークな編集能力。
・セキュリティ・・・どのリーダもシステムの全部を読むことができない。
・医療エラーの低減・・・患者の診察情報は、世界中のさまざまな場所ですべての医療スペシャリストにアクセス可能である。時間と場所のスタンプによって正確さが増し、医師が患者の記憶に全面的に頼る必要が少なくなり、よりよいケアができ、医療におけるコストを著しく減らすことができる（試験その他による場合の１／２）。更に、過誤処方が減り、命と金を節約する。
・保険詐欺・・・医療詐欺や一般的な健康保険詐欺に大きくかかわっている人物が他人のカードを使用することができない。
・保険の条項がカバーしているものに処方をリンクさせることができる。これによって、薬事保険会社と健康保険会社の双方が金を節約することができる。
【００５０】
１１．識別カードは、自然力と通常の機械的ストレスに耐性があるようにユニークに処理することができる。この一例は、フレーム耐性、防水、曲げ耐性である。
１２．カード、リーダ、およびホストデバイス間で、接触及び非接触動作に適応する。
【００５１】
本発明の別の実施例の利点の更なる例は以下のとおりである。
１．例えばアルカリ、ニッケル、リチウム電池、太陽電池、などの電源がカードに含まれている。
２．位置追跡が加えられている。
３．Ｅ９１１などの緊急連絡用機構の特徴・・・これは、例えば「助けて」といった言葉に反応する、コンタクト特性あるいは音声認識特性である。
４．回路を集積して製品を、例えばブルーツースや、８０２．１１などの規定した領域におけるローカルエリアのネットワークに適用させる、Ｗｉ−Ｆｉ技術の一体化能力。
５．レンズによるデジタル画像を一体化する、およびマイクロホン／スピーカの適用性によるボイストランスファ。
【００５２】
本発明のさまざまな実施例による、以下に例示するアプリケーションエリアの部分的リスト。
・警察と法律の施行
・ヘルスケアを含む保険業界
・薬の処方、メディケード、メディケアなど
・医療、歯科記録
・クレジットカード、デビットカード、銀行カードなどの金融
・旅行およびロイヤリティポイントなどのホスピタリティ
・学生ビサなどの入国管理
・社会保障カード、本国保障カードなどの政府
・会社
・個人およびプライバシィアイデンティティ保護
・エンターテイメント
・個人使用
【００５３】
更に、本発明の実施例は、そのユニットに直接一体化されており、記録するのみであり、音響あるいは再生特徴を待たないスティック／チップなどのメモリデバイスを具えている。別体の、取り外し可能なメモリスティックは、ログインおよびログアウト時間と日付を含むシステムからの分離あるいは除去をすべて記録し、ドキュメントにするようにプログラムすることができる。また、メモリスティックは、例えば、オリジナルユニットに付いている１２のディジットコードなどのユニークなコードを用いずには、記録したボイスにすべての変更を許可しないコードを有することができる。これによって、不正を防止し、もともと記録されたボイスデータの正しいドキュメンテーションを行うことができる。別の実施例では、識別カード自体の中にメモリデバイスを組み込むこともできる。
【００５４】
以下は、本発明のさまざまな実施例による例示的なアプリケーション領域のいくつかの詳細を説明するものである。
【００５５】
１． 本国セキュリティ
以下に、本国セキュリティに関する例示的実施例について述べる。本実施例では、外国人が米国（あるいは、他国）に入国し、識別メモリカードが発行される。このカードはデジタル写真と、指紋などのそのほかのユニークな認証生物測定データで暗号化されている。カードにＧＰＳチップでスタンプされた時間、日付、場所がカードに永久的に入力される。このカードは、使用するたびにリアルタイムで追跡することができる。この技術を用いて、学生ビサ、ビジタービサ、パスポートなどとしてカードを使用することができる。米国での目的、だれが中間ファミリーメンバであるかなどの、この人物の法的な記録をカードに入力することができる。この情報は、警察、ＩＮＳなどの正規の法的権限のある者のみが見ることができる。生物測定を利用しているため、他人はこの個人カードを使用することができない。例えば、指紋がなくては、このカードは役に立たず、読み取りができない。個人が特定のカードにリンクしている。このカードは、所望の場合は追跡することができる。例えば不法行為をしようとすると、カードがＧＰＳを介して場所をつきとめるであろう。カードを廃棄して誰か別の者のカードをもって逮捕された場合、生物測定データが合致しない。カードを持っていない場合、あるいは正規のカードを持っていない場合は、生物測定データが真実のアイデンティティを示すであろう。法執行当局は、このプロセスに役立てるために、本システムの一部である生物測定リーダを採用するであろう。
【００５６】
更に、別の実施例では、カードをソーシャルセキュリティ／本国セキュリティカードとして使用することができる。これらのカードは、データを発行する権威のある政府エージェントを除いては変更することができないことが好ましい正確な情報を提供することができる。各カードへの生物測定リンクが、所有者としてのカードの個人性を認証し、所有者を特定の位置、日付、時間に置くことができる。このシステムは前例のないレベルで個人認識セキュリティを提供し、人を欺いて傷つけようとする詐称と犯罪から社会を保護する。各人に対するソーシャルセキュリティ番号は、デジタル的に暗号化して、複数レベルの生物測定セキュリティによって保護することができる。これは、事実上、カードの「ＩＤ盗難防止」となる。個人は、紛失した場合にその所在を突き止めるためにカードをリアルタイムで追跡可能にしたいかどうかを選択することもできる。従来の様々なカードでいっぱいになった財布とは反対に単一のメモリカードを持ちたいという人に、ユニバーサルなアプリケーションを提供する。
【００５７】
２． 法の執行
識別カードは、運転免許証としても使用することができる。未納のチケット、以前の逮捕歴などの情報を、更なる特徴に含めることができる。生物測定が、個人のアイデンティティを当局に保障する。カードの所有者は、保護特性とカードの変更不可能性によって受益がある。所有者は、ユニバーサルアプリケーションからの受益もある。ひとつには、保険情報と車の登録をカードの上に保存することができる点である。このことは、個人がこれらのカードを持っていないために召喚状が発行される可能性を減らすことができる。
【００５８】
３． ヘルスケア
メモリカードの特徴のひとつは、Ｘ線を含む医療記録と歯科記録を安全に転送できることに加えて、詐欺を防止できることである。医療プロバイダは、生物測定とＧＰＳによって提供される時間／場所のスタンプが、患者がその場所にその時間にいたことを明確に示すため、患者が治療を受けていないのに受けたと述べるといった詐称に巻き込まれなくてすむ。更に、メディケードやメディケアカードなどの健康保険カードは、カードの所有者以外は誰も使用することができない。このことは、登録されていない違法な者など、権限のない人物がメディケードやメディケアへの不法なアクセスを行うことを防ぐことができる。また、処方薬剤の不法な受領を防ぐ。権限のあるカードの所有者以外の誰かが、カードから健康あるいは医療の受益を取り出すことを完全に防ぐ。
【００５９】
４． 金融取引
メモリカードは例えば、クレジットカード、デビットカード、およびＡＴＭ特徴などを含む電子取引に使用することができる。主な例外を伴うスタンドアローンカードを今日どのように使用するかの例と同様である。個人の生物測定データがカードの使用時に提示され、クレジットカードの詐欺や盗難を低減する。例えば、デパートのレジでは、指紋などの生物測定表示がマッチしない限りカードで取引を行うことができない。更に、上述したとおり、カードがデザインされているいくつかの実施例では、他のコンパートメントを見ることができない。リーダは、取引に必要な情報にのみアクセス／認証できるだけである。これは、例えば、写真ＩＤや指紋印象などから選択されるクレジットカード番号のカタログを含む。説明の目的で、ピン１と３がリーダに取り付けられており、カードとインターフェースをとり、コンピュータスクリーン、レジスタスクリーン、あるいはＬＣＤハンドヘルドリーダ上の情報の表示が許可される。取引は、カード自体によって時間／場所が永久的にスタンプされる。
【００６０】
５． プライバシィ
本発明のメモリカードの特徴のひとつはプライバシィである。どの場所あるいはどの発行者も、すべての認証情報にアクセスすることはできない。商店主あるいは別の第三者のみが指定の情報にアクセスするだけである。残りの情報は保護されている。その情報も、所望の場合に追跡するのと同様に、更なる保護のために日付／時間がスタンプされるようにしてもよい。
【００６１】
使用によっては、メモリカードが個人によって追跡され、組織によっては追跡されないようにすることができる。このことは、セルラ／衛星ネットワークと、対応するインターネットウエブサイトによって行うことができる。この特徴は、データとその使用をコンパートメントで分離する能力である。このことは、一のカードをすべての特徴と維持するべきプライバシイのために使用できるようにする。
【００６２】
次は、本発明の別の例示的実施例である。この例では、赤ん坊のジェーンドゥが２００３年６月２日、２：００ａｍに、ニューヨーク、ミネオラのウインスロップ病院の東棟で生まれた。彼女の医師は、彼女の出生証明に署名をして、処理のためにニューヨーク州にそれを送った。病院の看護婦は、誇りに思っている両親のために彼女の手紋と指紋を特別なインクを使ってマークした。このコピーも、社会保障庁に送られた。社会保障庁は、ジェーンドゥにＤＩＤＴＭカードと呼ばれるカードを発行した。これは、特殊化したメモリカードで、ジェーンドゥが彼女のこれからの人生に使用する。これは、彼女の伝記的情報かつ生物測定情報を保存する。これは、詐欺やアイデンティティの盗難の犠牲にならないように彼女を保護する。これは、彼女が大人になり、彼女の人生の多くのファセットを通しての情報をプライベートに保持する。この新しいカードは、彼女の健康を守る。このカードは、医療過誤を防ぐ。このカードで、医師はジェーンドゥを非常に正確に対処することができるようになる。このカードはまた、彼女の人生において何万ドルも節約する助けとなる。以下に、ジェーンドゥの人生でのＤＩＤＴＭカードをどのように使うことができるかを説明する。
【００６３】
ジェーンドゥは、病院から家に到着する２週間後にＤＩＤＴＭカードを受け取る。ＤＩＤＴＭカードには、社会保障庁（ＳＳＡ）によって以下の情報があらかじめロードされている。名前、住所、生年月日、ＳＳ番号、デジタル的に暗号化された写真、デジタル的に暗号化された指紋（これらのすべての情報は、ＳＳＡによる以外は、編集、消去、書き換え、不正な変更、再生することができない）、デジタル的に暗号化された両親の写真と、両親の指紋と、網膜プリント。彼女のカードの残りの部分は空のストレージであり、彼女の人生を通じて埋められてゆく。ジェーンドゥは、人生の最初の何週間かに小児科医に見せる必要があるので、彼女に健康保険情報を提供する必要がでてくる。ジェーンドゥのＤＩＤＴＭカードは、すでに使用開始している。ジェーンドゥの母親が、ＤＩＤＴＭカードを、保険会社か、保険会社のウエブサイトにリンクしているホームコンピュータに持ってゆく。「健康保険」の使用のためにだけ入手可能なカードはカードとリーダ間の特別なコンタクトを伴ってリーダにおかれる。デジタル的に暗号化されたジェーンドゥと、彼女の母親と父親の写真が、保険会社のリンクされたコンピュータスクリーン、又はＬＣＤモニタに現れる。ジェーンドゥの母親は、彼女の親指をリーダに取り付けた生物測定センサに入れる。生物測定プリントが、これがジェーンドゥの母親であり、ジェーンドゥがＤＩＤＴＭカードの所有者であることを確認する。保険の処理に必要なジェーンドゥの情報が、保険会社のデータベースにダウンロードされる。保険会社は、ジェーンドゥについてのすべての必要な保険情報をダウンロードする。取引が終了する。ジェーンドゥがＤＩＤＴＭカードを持って最初に訪れたのは、医師のオフィスである。彼女はオフィスに入り、オフィスの受付にＤＩＤＴＭカードを提示し、彼女がそれをリーダに入れる。ジェーンドゥの写真が、彼女の父母とともに、ＬＣＤスクリーンの上に現れる。ジェーンドゥの母親の指紋が、取り付けられている生物測定センサを介して入力される（網膜生物測定も同様である）。受付は、これがジェーンドゥとその母親であることを認証する。ついで、ＵＳＢポートを介して、保険情報が医師のオフィスのデータベースに入力される。訪問した実際の時間と場所がジェーンドゥのＤＩＤＴＭカードに、ユニークなＧＰＳ技術によってスタンプされる。カードの「医療」部にアクセスする。医師は、彼の所見を記録する。ユニークな場所にあるピンによってのみ、ジェーンドゥのＤＩＤＴＭカードの所定の部位を医師のオフィスで読み取ることが可能である。医師はその日の訪問から情報を記録し、カードにダウンロードする。典型的な入力は：ジェーンドゥ、生後２週間、母親によって赤ん坊の最初の訪問として連れてこられる。２週間で退院。２００３年５月６日、１２４８時間、394 Old Country Rd. Garden City N.Ｅ 11 53 0、医師の記録あるいは医療データベースにダウンロードしたジェーンドゥの生物測定。
【００６４】
ジェーンドゥの続いての訪問も、同じように記録することができる。彼女のアレルギィの詳細な記録を記録することができる。彼女の予防接種を記録することができる。彼女の医療のすべてを記録することができる。彼女が別の州に引っ越した場合は、彼女のＤＩＤＴＭカードは、彼女のすべての情報とともに彼女とともに移動することができる。医師が彼女の薬の処方を行っている場合は、その処方は薬局のリーダで彼女のＤＩＤＴＭカードから正確に読み取られる。薬剤の相互作用は、ジェーンドゥが被害を受ける前に発見することができる。潜在的なアレルギィ反応を防止することができる。保険会社の処方集と投薬をリンクするソフトウエアは、ジェーンドゥと彼女の保険会社の双方の金を節約する。
【００６５】
ジェーンドゥが成長するにつれて、彼女の生物測定情報は年に一度のベースで更新される。彼女の医療履歴はドキュメントにされる。彼女の予防注射はすべて記録される。緊急治療室に入ったことは、彼女の医師全員がみられるように記録される。完全なデータと時間が、永久的に記録に残される。ジェーンドゥの歯医者にかかったこともすべてドキュメントにされる。彼女の歯科Ｘ線は、ＤＩＤＴＭカードに記録され、「歯科」というコンパートメントラベルをつけて保存される。
【００６６】
１２歳になり、ジェーンドゥは、ヨーロッパに家族旅行をしようとしている。彼女は、旅行用パスポートを取らなくてはならない。これは、ＤＩＤＴＭカードにぴったりである。ジェーンドゥは、彼女のＤＩＤＴＭカードを米国のパスポート当局に提示する。カードをリーダに入れると、彼女のデジタル写真がスクリーン上に現れる。ジェーンドゥのプライバシイを保護するために、リーダは、「医療」あるいは「歯科」のラベルのあるいずれのセクションも見ることができない。また、リーダは「健康保険」のセクションも見ることができない。リーダの特別なコンタクトによって、このエージェンシィに所定の取引が許される。「旅行」とよばれる特定のセクションがスクリーンに現れる。これは、これがジェーンドゥのＤＩＤＴＭカードであるとのジェーンドゥの指紋と網膜スキャンドキュメントの後にのみ生じる。カードの上にパスポート情報がダウンロードされる。この情報は、将来必要な場合で使用するために、エージェンシィのデータバンクに保存されている。ジェーンドゥは、今、ヨーロッパへの旅行の準備ができた。彼女の両親は、すでにインターネットでチケットを購入し、彼女のＤＩＤＴＭカードにダウンロードしている。もちろん特定のコンタクトを有するホームリーダを取り付けたホームコンピュータからチケットをダウンロードするには、彼女の生物測定の授権が必要である。彼女は、飛行機に乗り、ヨーロッパ連合国に入国するには、彼女の生物測定確認が付いたＤＩＤＴＭカードを空港で提示するだけである。
【００６７】
ジェーンドゥは、彼女のＤＩＤＴＭカードを地方のＤＭＶに持ち込む。彼女のアイデンティティは、彼女の全人生で使用したプロセスを通してこの時点で認証される。彼女の写真がアップデートされる。彼女は、カードに直接にダウンロードされた運転免許を与えられる。ＤＭＶは、彼女の自動車登録と自動車保険情報を加える。これらは、「運転免許証」「自動車保険」「自動車登録」といった、彼女のカードのユニークな部分にある。これらの部分は、ＤＭＶと地方当局が特徴中に読むことができる。すべての法的な判決と免許証の制限はここで見られる。臓器移植情報も得ることができる。（この情報は、ある国民特有のマッチングプログラムに必要な医学データを含んでおり、病院同士の通信をすばやく行い、突然に死亡した場合に臓器の適合をより早く見つける。これは、このカードを病院のコンピュータと国立データバンクとインターフェースをとることによって行うことができる。カードは、血液型はＨＬＡの適合といったものを有することができる）。このすべての情報は、病院とリンクすることができるＤＭＶのデータバンクに保存されている。
【００６８】
ある日、ジェーンドゥは彼女のＤＩＤＴＭカードを紛失するが、心配していない。彼女は、生物測定暗号のために他の誰も彼女のカードを使うことができず、センサが働いてカードを探すことを知っている。そこで、彼女は、家で彼女のコンピュータにログインし、インターネットを介してあたらしいＤＩＤＴＭカード上に、ＤＭＶ、医師あるいは歯科医、などからの情報を含む、彼女のすべての情報をアップロードする。彼女は、網膜スキャン、指紋および保存されている写真を用いて彼女の生物測定データによって同定される。彼女は、将来カードをなくしたときのために、２枚のＤＩＤＴＭカードを持っていたいと望むこともある。情報を置き換えるプロセスは単純で簡単である。ジェーンドゥは、必要なときに、各コンパートメントを置き換えることができる。どの場所も彼女の情報を保持しないという事実が、彼女のプライバシィを保護する。
【００６９】
ある日、ジェーンドゥは病気になった。彼女は、新しい医師を尋ねた。医師は、彼のデータベース上に彼女の全履歴をダウンロードした。彼は、ジェーンドゥを診察し、彼女はいくらか投薬が必要であると診断した。ジェーンドゥは、彼女の処方をもらうために薬局に行くほどに具合がよくなかった。ここで、彼女は、あまりうまくやってゆくことのできない年配の人々がどのように感じるかに気がついた。医師は、ＤＩＤＴＭカードに処方をダウンロードした。時間と場所のスタンプが、ＤＩＤＴＭカードシステムによって自動的に入力された。ジェーンドゥは家に帰ってデスクトップコンピュータのところへ行った。彼女は、彼女のＤＩＤＴＭカードを、彼女のコンピュータに接続されているホーム使用のリーダに入れた。彼女は、生物測定センサ上に彼女の指紋を乗せて、コンピュータが彼女がそのＤＩＤＴＭカードの所有者であることを確認した。彼女は、彼女の薬剤師に電子的に送られる処方箋をダウンロードした。彼女は、「配送してください」という特別な指示を加えた。薬剤師は、ジェーンドゥの保険情報、アレルギィ、および医学的状態も受け取っている。彼は、比較のために、「その他の処方」の通知も受け取っていた。医師が書いたこの処方は、ジェーンドゥの保険の規定でカバーされていなかった。プログラムされたソフトウエアによって代替が提案され、医師がそれを確認した。ジェーンドゥと彼女の保険会社は、金を節約することができ、ジェーンドゥは、薬が届くまで家で心地よく休んだ。
【００７０】
以下のようなたくさんの使用可能性がある。
ジェーンドゥが仕事の書類を得る；
ジェーンドゥが銀行口座を開く；
ジェーンドゥが最初のクレジットカードを作る；
ジェーンドゥが彼女のＤＩＤＴＭカードを用いて、彼女の最初の電子投票をオンラインで行う；
ジェーンドゥが大学に進み、クラブやバーに行くのにＩＤカードが必要になる；
ジェーンドゥが職を得て、彼女の会社がＤＩＤＴＭカードをセキュリティとして使用する；
ジェーンドゥが、彼女の人生の全てのイベントで、彼女のＤＩＤＴＭカードをビジネスに、個人的に、旅行に、セキュリティに、医療に、歯科に使用する。
【００７１】
すばらしい幸せな人生の後、９９歳の年でジェーンドゥは亡くなる。彼女のＤＩＤＴＭカードは、死亡証明書をダウンロードした後、社会保障庁に送られる。ＳＳＡは、ジェーンドゥの死亡を記録し、受益を停止する。
【００７２】
本発明の実施例のさまざまな特徴による一例は、情報を記録し、この情報へのアクセスを制御する、軽量で、持ち運びが容易なメモリ識別カードである。このメモリカードは、カード上の電子ファイルのファイルシステムを具える。これは、選択された授権のあるリーダによって自動的に検出され、認識される。このファイルシステムは、保存されている電子ファイルがカードの別々の区別されたコンパートメントに現れるように組織化されており、授権のあるあらかじめ選択されたリーダのみがこの特定のコンパートメントにアクセスすることができる。
【００７３】
生物測定同定情報はカードに刻印され、どのデータもリーダとカードが割り当てられ、カードを所有する人物との間の生物測定適合がない限り転送することができない。生物測定同定情報は、親指の指紋、指紋、デジタルの顔の画像、網膜画像、声の認識あるいは、ＤＮＡサンプリングなど、生物測定の当業者に公知のその他のものであってもよい。指紋認証に好適な一の例示的デバイスは、指紋の合致と、指自体のパルス検出の双方を行う。メモリ識別カードは、所望の場合、それにアクセスするのに異なるユニークなピンコードを要求する各コンパートメントを有することができる。メモリカードの異なるコンパートメントは、例えば、カードを割り当てられたユーザに関連する医学情報を含むコンパートメントを具え、その医学情報を有するコンパートメントに割り当てられたユニークなピンコードを有するあらかじめ選択されたメモリカードリーダによってのみアクセスすることができる。このように、医学情報は、銀行や、政府機関などその他の協会によってアクセスすることができない。
【００７４】
メモリ識別カードは、カードがどこで使用されているかを同定するために、シングルチップのグローバル位置検出システム(ＧＰＳ)を具えていてもよい。ある実施例では、ＧＰＳエンジンがメモリカードリーダでアクティベートされ、電源が入る。一の実施例では、ＧＰＳ情報は、カードがリーダに挿入されるときにフラッシュメモリからとるので、メモリカードは別の電源を必要としない。
【００７５】
別の実施例では、メモリ識別カードが、バッテリなどの電源を有している。一例では、バッテリは、あらかじめ選択されたカードリーダで再チャージするように構成されたリチウムセルを具える。このような、バッテリで駆動するメモリ識別カードは、無線遠隔通信を送受信するためのマイクロプロセッサ、ＲＦ受信機、ＲＦ送信機、などで強化することができる。
【００７６】
メモリ識別カードは、カードに割り当てられた人物の写真画像を保持することもできる。これに関連して、一の実施例では、メモリ識別カードがカードが割り当てられた人物のデジタル写真画像を一のコンパートメントに含んでおり、カードの外側に常に内部のデジタル画像が出ている。カードの外側の画像の偽造者は、このカードを使用することができない。更に、詐欺を防ぐために、コンパートメントの一つがカードの割り当てられたユーザに関する生物測定認証情報を含むようにしてもよい。
【００７７】
メモリ識別カードは、911番へのコールを開始するためのボタンを有しており、緊急の医療あるいはその他の救助をリクエストするときに、あらかじめ記録されているメッセージを呼び出すようにしてもよい。このような実施例では、メモリ識別カードの位置を提供することができる。
【００７８】
メモリカードは、デジタルカメラなど、デジタル画像を取り、保存し、送信する装置と一体化できるようにしてもよい。
【００７９】
更に、メモリ識別カードは、授権さえたユーザシステムからのカードのあらゆる破壊あるいは除去を記録してドキュメントにするようにプログラムされるよう構成された、一体化されたあるいは取り外し可能なメモリスティック／チップを有していてもよい。
【００８０】
代替の特徴として、メモリカードは、メモリ内にリアルタイムでのボイスデータを保存するために、カードに一体化したあるいは取り付けたレコーダを有していてもよい。更に、保存されている情報へのアクセスを制限するために、セキュリティを含めるようにしてもよい。例えば、録音されたボイスデータが、あらかじめ選択されたリーダへのアクセスによってのみ再生できる。
【００８１】
更に、本メモリカードは、記録された音声セグメントに時間スタンピングを行うためのリアルタイムクロックを本カードに組み込むことで、自動音声ノートブックを具えることが可能である。
【００８２】
更にカードが記録能力を有する場合、レコーダは、メモリ識別カードに保存されているデータ信号を再生する能力を持つあらかじめ選択されたリーダとインターフェースをとるコネクタを有する。
【００８３】
所定の実施例では、メモリ識別カードは、例えば、同定、医療、セキュリティ、保険、エンターテイメント、ホスピタリティ、金融および法律の強制の目的で、特定の人物に特有の情報を保存し、この情報を使用するシステムの一部である。このような実施例では、以下のうちの一又はそれ以上の特徴を有する。
ａ）情報を集め保存する中央発行者
ｂ）実際の発行者からダウンロードした情報を記録するためにその人物によって持ち運ぶことができる軽量のメモリカードであって、
i）選択されたリーダによって自動的に検出され認識されるカード上の電子ファイルのファイルシステムであって、保存されている電子ファイルが別々の区別できる暗号化されたコンパートメントに現れるように構成されたファイルシステムと；
ii）リーダとカードを所有しているカードに割り当てられた人物との間に生物測定の適合がない限り、どのデータも転送できないカード上の生物測定認証情報と；
を有するメモリカード；と
ｃ）メモリカードからの情報を特定のコンパートメントから抽出するようにプログラムされたあらかじめ選択されたカードリーダであって、各あらかじめ選択された各リーダは、メモリ識別カード上の特定のコンパートメントに関連するユニークなピンコードを有し、あらかじめ選択されたリーダは、あらかじめ選択されたリーダがそのコンパートメントに関連する正しいピンコードを有するコンパートメントからのみ情報を抽出することができる。
【００８４】
本発明の実施例は、また、人物のアイデンティティを認証し、人物の情報を抽出する方法を具える。例示的な実施例では、その人物は当該人物に関する生物測定認識情報が保存されているメモリカードを持ち歩き、この情報が好ましくは、カード上の別のコンパートメントから切り離されているコンパートメントに保存されている。この人物は、同定の目的でリーダが操作するためにメモリカードを提出し、カードリーダはカード上の暗号化されたコンパートへのアクセスを許可するユニークなピンコードを有する。
【００８５】
その後、カードリーダのオペレータは、アクセスされた生物測定情報をメモリ識別カードを有する人物から直接的に取った生物測定情報と比較する。
【００８６】
メモリ識別カードは、各々が、医療、セキュリティ、保険、エンターテインメント、ホスピタリティ、金融、旅行、一般ビジネス、法執行当局の目的など、異なる情報バンドルを有する他の暗号化したコンパートメントを有していてもよい。各コンパートメントは、更に、そこへのアクセスのための異なるユニークなピンコードを有していてもよい。
【００８７】
図２は、本発明の実施例にかかる例示的なメモリカードと関連するシステムと方法を示す図である。この実施例では、カード１は以下に詳細に述べるスマートカード又は集積回路のデバイスを具える。別の実施例では、カード１は例えば磁気ストリップカードなど、別のタイプのものでもよい。図２に示すように、カード１は、カードホルダの外部ピクチュア４と、発行会社の承認２、とカードロゴ３と、カード所有者の名前５と、住所６と、署名７を具える。別の実施例では、全部のエレメントでなく、上述のエレメントのさまざまな組み合わせを用いて、更に、所望の場合は追加のあるいは代替のエレメントを用いている。本発明にかかるカード１は、更に、一端に配置したリニアアレイの入力／出力（ＩＯ）コンタクト８を有する。
【００８８】
カード１は、図３に示す送信機／受信機（Ｔ／Ｒ）ユニット１０の例示的な実施例とインターフェースをとる。ソケット１３は、カード１のコンタクト８を受ける。ハウジング１１は、電源と、ＡＣラインパワー１８に接続され、ケーブル１７を介してホストコンピュータに接続されているこのインターフェースユニット用の電子部品を具える。ホストコンピュータはパーソナルコンピュータ（ＰＣ）あるいはポイントオブセールス（ＰＯＳ）ユニットであってもよい。送信機／受信機（Ｔ／Ｒ）１０は、液晶ディスプレイスクリーン１２と、機能ボタン１４を具える。例えば、親指の指紋スキャナ１６と、デジタルカメラのレンズ１９などの二つの生物測定デバイスが示されている。しかしながら、単体の生物測定インディケータ、同様に、好適な複数の生物測定デバイスを使用することもできる。デジタルカメラは、カスタマの顔のスキャンを支持することができる。そのほかの生物測定技術を使用する場合は、Ｔ／Ｒ１０の一部として入力デバイスによってサポートすることができる。別のレンズ１９は網膜スキャンを支持することができ、付随する衛生サポートアクセサリを伴うセルサンプラがＤＮＡ同定をサポートすることができる。アンテナ１５は、ＩＤカード１が内部ＧＰＳ受信機をサポートするのに使用される。
【００８９】
ＩＤカード１は、頑丈なユニットであり、折れ曲がったり引っかき傷がつかず、防水、防火対策がとられている。図４および図５は、この丈夫さを確認する物理的構造を示す図である。そのほかの好適な構成を使用することもでき、図４はフロント層２５、スティフナ層２６、プリント回路基盤（ＰＣＢ）層２７およびバック層２８からなる４層のラミネート構造を示す。このラミネート構造は、各層の機能を最適なものにする。例えば、フロント層２５とバック層２８は、高品質インディシアプリケーション、耐傷、耐火性に応答するように選択されている。実際、これらの二つの層自体は、更にコーティングをした二つの別々の層でラミネートすることができる。プリント回路基盤（ＰＣＢ）２７は、公知の低損失誘電体でできた基板上で高品質の導電トレースを容易にする所定の電気的特性を有する。集積回路モジュールであり、独立した能動および受動デバイスである構成部品２９は、好ましくは、カードの厚さを最小にするために高さが低くなっている。入力／出力（ＩＯ）ピンソケット８も、低プロファイルであることが好ましい。
【００９０】
ＰＣＢ２７を設けた後、耐湿適合コーティングで被覆する。ウレタン、アクリリック、およびシリコーンスプレィコーティングが入手可能であるが、通常は医療用あるいは軍事用エレクトロニクス用に確保されている好ましいパリレーンコーティングには合致しない。一の実施例では、スティフナ層２６の厚さは、もっとも厚い部品２９（ソケット８を含む）の高さと同じである。部品２９に設けられ、この部品とともに登録されているホール３０は、層２６がカード１を厚くしないようにカットすることができる。層２６の好ましい材料は、方向を揃えたカーボンファイバ材料の２シートラミネートであり、この２層の各々のファイバは、互いに直交している。追加のスティッフニングとエッジ保護具を図４に示すフレーム８で設けてもよい。これはチタンフレーム内にカード１を囲み、ソケット８にリジッドに係合する。
【００９１】
図６は、全オンボードデータを伴う１２８ＭＢのフラッシュメモリを示す電源のない実施例のブロック図である。マイクロコンピュータあるいはデジタル信号プロセッサ（ＤＳＰ）として実装されているアクセスコントロールブロックは、解読／暗号プロセッサとしてのすべての動作と機能を制御する。電源、データ転送、制御およびＲＦ  ＧＰＳコネクションは、すべて入力／出力（ＩＯ）コネクタを介してインターフェースをとる。例えば、Motorola(登録商標)社から商業的に入手可能なグローバルポジションシステム受信機をアシストする「Instant GPS」などのシングルチップＧＰＳ受信機は、腕時計に組み込めるくらい小さい。
【００９２】
図７は、バッテリ電源によるＩＤカードの実施例のブロック図である。このバッテリ電源による実施例では、電源のないプラットフォームにいくつかの機能ブロックが付け加えられている。最も注目すべきものは、バッテリ、バッテリチャージャ、太陽電池、アンテナ付携帯電話機能ブロックである。バッテリは、ＩＯソケットから電力が供給される。セルラプロセッサも、Ｅ−９１１機能を有する。これは、「ＨＥＬＰ」といったキーワードの反復によって、あるいはカード１のスイッチ（「Ｅ９１１」として示されている）として機能する埋め込み歪ゲージを有する領域を押すことによってつながる。
【００９３】
ＧＰＳは、電源付の実施例では、オンボードのアンテナを有する。太陽電池は、要求されるチャージインターバルを伸ばすために、またカードが紛失した場合に使用される。太陽電池がカードの表面と裏面に設けられている。カードが地面に落ちて、太陽光あるいは明るい人工光にアクセスした場合、空のバッテリをゆっくりとチャージして（地面に向いた面に関係なく）、その位置的な座標をショートバースト送信することができる。この周期的送信プロトコルはあらかじめプログラムされたタイムアウトの後開始する。バッテリ電源カードでも、送信機／受信機（Ｔ／Ｒ）は、取引手順の間に電源を供給するように構成することができ、バッテリが完全に空になったバッテリ電源カードでも、送信機／受信機（Ｔ／Ｒ）レコーダユニットでいつでも使用することができる。
【００９４】
図８は、本発明にかかるメモリカード１１０の別の例示的実施例を示す。この実施例では、カード１１０は、プラスチックでできており、ポリイミドラミネート層を用いてラミネートされている。しかしながら、図面からわかるように、この別の実施例のカード１１０は、別の材料でできていてもよく、所望の場合はラミネートしてもしなくてもよい。本発明のカード１１０は、更に、フラッシュメモリデバイスから集積ロジック、セキュリティ機能、その他を持つスマートマイクロプロセッサチップまで、複数の集積回路を具える。更に、本実施例では、太陽電池を具える電源が設けられており、チャージ用およびリアルタイムのクロックの操作に使用されている。遠隔データ送信を可能にするためにアンテナが設けられている。一例は、フォイルアンテナである。別の例は、セラミックアンテナである。
【００９５】
図９は、電子パッケージングを具えるカード１１０の例示的アッセンブリを示す図である。カード１１０は、所望の場合は、所定の実施例においてフリップチップ部品を使用することができる。更に、所定の実施例では、７６０μｍといった、全厚さが極薄いアッセンブリを用いることができる。いくつかの実施例では、カードの厚さは２ｍｍ以下と小さくなっている。更に、所定の実施例では、大きさを小さくするために、通常のチップの１／３の厚さのチップを使用することができる。
【００９６】
図８に示すように、本実施例では、カード１１０は、公称85.60×53.98×0.76ｍｍの大きさで示されているが、所望の場合は、他の大きさにすることもできる。本実施例の望ましい機械的特性（曲げ、ねじれ、他）は、ＩＳＯ１０５３６に規定されている。本実施例では、セキュリティの目的で、特別なＩＯコンタクトとして、ＩＳＯ７８１６のコンタクトが設けられている。一又はそれ以上の集積回路が、図に示す実施例においてポリイミド基板上のフリップチップキャビティ内に設けられている。本実施例では、カード１１０は実質的に、そして好ましくは、全体的に、プラスチックで覆ったポリイミドラミネートで構成されている。他の実施例では、所望であれば別の材料を用いることもできる。
【００９７】
オンボードＧＰＳと、アンテナが本発明の実施例に設けられている。プリントフォイルアンテナがひとつの例である。導電路をエッチングしたアンテナフォイルが用いられており、例えば、１７．５μｍあるいは３５μｍの銅で被覆した５０あるいは７５μｍのポリアミドフォイルを用いることができる。このフォイルは、導電路のセカンドコンタクトなど、一又はそれ以上のコンタクトをとるめっきしたスルーホールを具えている。
【００９８】
さまざまな実施例によれば、様々なプロセスを用いてカードを組み立てることができる。一般的に、このアッセンブリは、カードの値段に影響を受けるが、様々なアッセンブリを用いて要求された機能を設けることができる。選択は、入手可能な製品機器との互換性に影響される。
【００９９】
アンテナフォイル基板上に直接的にチップを装填するという可能な代替と比較して、図８に示すカードには所定の利点がある。
・チップがフォイルラミネーション工程を貫通していない。このことは、チップにひどくストレスをかける露出をなくす。
・フォイル自体としての同じ面に埋め込まれているチップがより薄いパッケージを提供する。
・上限同じ厚さのカバーフォイルが対称についたパッケージを設けて、カード表面をスムーズにしている。この結果、エッチング、エンボス及び／又は高品質プリントを使用することができる。
・チップキャリアモジュールのアッセンブリは、オンボードの標準チップであってもよい。これは、挿入プロセスがまっすぐで、標準的な工業ツールを使用できることを意味する。
【０１００】
図１０に示すように、本発明によれば、カード１１０は、図４に示すカード１と同様に複数の層を具える。本実施例では、カード１１０は、フロント透明上側層１３０と、フロントプリントコア１３２と、集積回路を含むポリイミド基板１３４と、バックプリントコア１３６と、バック透明上側層１３８の５層構造である。この実施例では、カード１１０のアッセンブリは、フリップチップとして貼り付けられているチップをともなうモジュールキャリアをベースにしている。フリップチップの装着は、シリコンチップなどのチップのパッドを鉛フレームのコンタクト領域に直接的に接続する。この手順において、チップが「フリップ」する。フリップチップモジュールは、ラミネートした後カード本体内のキャビティに挿入される。モジュールのサイズと位置、およびレリーフ印刷は、コイルとモジュールの配置とサイズに制限がある。ＩＳＯの位置におけるフリップチップモジュールは、任意であるが、標準チップカード製造機器の使用が可能である。このように、フリップチップモジュールとカードは単純なプロセスで製造することができる。
【０１０１】
この実施例では、モジュールはラミネーションストレスに当たらない。生産がうまくいかない場合でも、単純な欠陥部品の価値は限られている。ワイヤボンディングにおいて、チップがインターフェースルートにワイヤで接続される。ワイヤボンディングは、特別なボンディング機器が必要であり、したがって、経済的な製造を行うためには、かなりの数が必要である。しかしながら、フリップチップマウンティングは、約1000ピースまでといった、低い制限がある。チップに電気的コンタクトをとるための接合技術として使用されるワイヤボンディングは、カードが実現できる厚さにチャレンジするものである。図に示す実施例では、プロファイルが低くなればなるほど、よい。そのほかの実施例でも、ワイヤボンディングを使用することができる。
【０１０２】
導電接着剤を用いたフリップチップ技術が、集積回路チップを装填し、電気的接続を行うには好ましい。標準的なワイヤボンディング技術に比べて、アッセンブリの高さを最小にするのが容易である。接着剤のボンディングプロセスは、プロセスのステップが少なく、同じようなボンディング機器を使うことができ、処理温度が低いため、フリップチップの半田付けより好ましい。また、半田付けに用いたフラックスの残りが電解質となって、下側の材料がはがれることがあるため、半田付けをしたフリップチップに比べて、高濃度で、接着強度が高い接着剤によってより信頼性が高いものとなる。代替の実施例では、所望の場合に半田付けを用いる。Pyralux(登録商標)およびKapton(登録商標)は、本発明の様々な実施例によって使用することのできるポリイミドタイプの材料の例である。
【０１０３】
図１１は、ローカルワイヤレス通信を伴う例示的な送信機／受信機（Ｔ／Ｒ）リーダ４８の使用を示す。これは、例えば、警察がポリスクルーザ４０内にあるラップトップ４５と通信するのに使用することができる。通信トランシーバ４６は、ブルーツースなどのローカルＲＦリンクを可能にする。送信機／受信機（Ｔ／Ｒ）リーダ４８は、デジタルＩＤカードをソケット１３に挿入し、親指の指紋をスキャナ１６で読むことができるように、車の中にとどまっている人物に対してハンドキャリィであることが好ましい。例えば、交通違反の場合、セキュリティの理由で、警察は停止している車のドライバが車の外に出ることを望まない。
【０１０４】
図１２は、ある種の取引において、Ｔ／Ｒに取り付けられている本発明のデジタルＩＤカードに対する内部操作の実施例を示す単純化したフローチャートである。多くの接続部分において、監査証跡記録ファイルに短い記録を加えて、アイデンティティの盗難や、そのほかのよくない計画があった場合に、一連のイベントを取り出すことができるようにしている。
【０１０５】
手順の開始において、送信機／受信機（Ｔ／Ｒ）のＩＤ番号が読み取られ、即時に、ＧＰＳで生成した時間／場所ＩＤを伴う監査証跡（audit trail）に入る。送信機／受信機（Ｔ／Ｒ）リーダがこのタイプのデジタル識別メモリカード上の取引を操作するようになっていない場合は、送信機／受信機（Ｔ／Ｒ）上にメッセージが表示され、取引が終了する。次に、生物測定データがＴ／Ｒを介してユーザから読み取られ、デジタル識別メモリカード上の暗号化されたデータと比較される。補助手順（図示せず）に対するサポートがある場合は、この時点で、カスタマの暗号化された写真が、デジタル識別メモリカードの表面上の写真と、カスタマの写真を視覚的に比較するために送信機／受信機（Ｔ／Ｒ）リーダ上に表示される。(同様に署名の比較も行うようにしてもよい)。いずれの場合も、生物測定の合致がない場合は、取引が終了し、ある場合は、続けられる。データレコードの各アクセスは、送信機／受信機（Ｔ／Ｒ）リーダキーと、特定のデータレコードへのアクセスをコントロールしている者間の適合を通じて仲介が行われなくてはならない。この簡単な取引のフローチャートには示されていないが、いくつかの取引では、カスタマは特定のデータアイテム上でセキュリティを放棄することが許される。しかし、この場合は、監査証跡記録に示されている。
【０１０６】
図１３は、オーディオ能力を有する本発明の識別カードの代替の実施例を示す。一の実施例では、遠隔暗号化再生付の口述のみのレコーダがカードに設けられている。デジタル識別メモリカードのエンハンスメント６０は、コンデンサマイクロホンＭ、プレアンプ、アナログ−デジタルコンバータ（Ａ／Ｄ）と、デジタル識別メモリカードのひとつで稼動するボイス認識（ＶＲ）ソフトウエアを具えている。ボイス認識特性は、ＧＰＳで調整され、特別な地理的アドレスを入力し、それがＬＣＤスクリーン上にプロットされる。音響特性は電話にでている受信者など、情報を入力できる。記録のみのレコーダは、薄いカードに組み込まれており、ユーザは彼又は彼女のデジタル識別メモリカードにアクセスして、以下のような取引をどこでも口述することができる。
ａ）「小切手口座から歯科請求の７８ドルをジョーンズ先生に引き落とす」
ｂ）「糖尿の薬を正午に取った」
ｃ）「車の車検の予定」
ｄ）「ＸＹＺ社からラジオをＶＩＳＡで購入、ＵＰＳにこのラジオをＵＰＳグラウンドでメインストリートに送るように言う」
ｅ）（交通ジャッジから）「交通違反によりカードの受領者の運転免許証に３ポイント追加」
【０１０７】
上述したすべての取引（暗号化され、時間スタンプが押されている）は、図２に示す送信機／受信機（Ｔ／Ｒ）ユニット１０と同様に再生ユニットにダウンロードすることができる。送信機／受信機（Ｔ／Ｒ）１０は、音響再生能力が強化されている。スクリーン１２を用いて、地図あるいはその他の視覚的なしるしを表示することもできる。この使用モードにおけるより好適な能力を求めて、送信機／受信機ユニット（Ｔ／Ｒ）１０は、ＡＣ電源ライン１８を車に接続したＤＣ電源入力に変換することによって、自動車の中で形態可能に使用できるようにすることができる。更なる代替の実施例では、デジタル識別メモリカードを一時的に携帯電話として使用することもできる。
【０１０８】
特許請求の範囲の範囲内で、そのほかの変形を本発明に加えることができる。
したがって、本発明は、ここで特別に設営した実施例に限定されるものではなく、請求の範囲およびその均等の精神と範囲内にあると解するべきである。
【図面の簡単な説明】
【０１０９】
本発明は、添付の図面を参照してよく理解することができる。
【図１】図１は、本発明の例示的実施例を示すブロック図である。
【図２】図２は、本発明の識別カードの実施例の正面図である。
【図３】図３は、ＩＤカードとインターフェースをとる本発明の送／受信ユニット（Ｔ／Ｒ）の実施例を示す斜視図である。
【図４】図４は、本発明のデジタルＩＤカードの実施例の主な４つの層を示す分解斜視図である。
【図５】図５は、リジッドフレームを用いたデジタルＩＤカードの実施例の正面図である。
【図６】図６は、本発明に係るＩＤカードの別の実施例のブロック図である。
【図７】図７は、本発明に係るＩＤカードの別の実施例のブロック図である。
【図８】図８は、本発明に係るＩＤカードの別の実施例をブロック図形式で示す平面斜視図である。
【図９】図９は、図８に示すＩＤカードの前側正面図である。
【図１０】図１０は、図８に示すＩＤカードの、特に断面における、分解図である。
【図１１】図１１は、警察の車に適用したローカル無線送／受信（Ｔ／Ｒ）ユニットの実施例の斜視図である。
【図１２】図１２は、本発明のデジタルＩＤメモリを用いた例示的なトランスアクションプロセスのフローチャートである。
【図１３】図１３は、図７に示すＩＤカードの実施例の例示的な音響エンハンスメントのブロック図である。
【図１】
2006527422.tif 000003
【図２】
2006527422.tif 000004
【図３】
2006527422.tif 000005
【図４】
2006527422.tif 000006
【図５】
2006527422.tif 000007
【図６】
2006527422.tif 000008
【図７】
2006527422.tif 000009
【図８】
2006527422.tif 000010
【図９】
2006527422.tif 000011
【図１０】
2006527422.tif 000012
【図１１】
2006527422.tif 000013
【図１２】
2006527422.tif 000014
【図１３】
2006527422.tif 000015
【国際調査報告】
2006527422.tif 000016